(57)【要約】【課題】内燃機関の吸気通路内と気筒内との燃料噴射量の比率を最適化することによりノッキングの発生を抑制する。【解決手段】吸気通路に燃料を噴射する通路内噴射弁と、気筒内に燃料を噴射する筒内噴射弁と、ＥＧＲ装置と、ＥＧＲガス量が目標量に対して不足する過渡運転時においては、定常運転時よりも全燃料噴射量に対する筒内噴射弁からの燃料噴射量の比率を高め、且つ、高めた後の全燃料噴射量に対する筒内噴射弁からの燃料噴射量の比率及びＥＧＲ率に基づいて点火時期を設定する過渡時制御手段と、を備える。【選択図】図５
2011140902.tif 000002
【特許請求の範囲】
【請求項１】
内燃機関の吸気通路に燃料を噴射する通路内噴射弁と、
前記内燃機関の気筒内に燃料を噴射する筒内噴射弁と、
前記内燃機関の排気通路と吸気通路とを接続し排気の一部をＥＧＲガスとして吸気通路へ供給するＥＧＲ装置と、
ＥＧＲガス量が目標量に対して不足する過渡運転時においては、定常運転時よりも全燃料噴射量に対する前記筒内噴射弁からの燃料噴射量の比率を高め、且つ、高めた後の全燃料噴射量に対する前記筒内噴射弁からの燃料噴射量の比率及びＥＧＲ率に基づいて点火時期を設定する過渡時制御手段と、
を備えることを特徴とする内燃機関の制御装置。
【請求項２】
内燃機関の吸気通路に燃料を噴射する通路内噴射弁と、
前記内燃機関の気筒内に燃料を噴射する筒内噴射弁と、
前記内燃機関の排気通路と吸気通路とを接続し排気の一部をＥＧＲガスとして吸気通路へ供給するＥＧＲ装置と、
前記内燃機関の温度を検知する検知手段と、
前記検知手段により検知される内燃機関の温度が所定値以下のときに、前記ＥＧＲ装置によるＥＧＲガスの供給を停止させる停止手段と、
前記停止手段によりＥＧＲガスの供給が停止されている間は、前記通路内噴射弁からの燃料の噴射を停止させて前記筒内噴射弁のみから燃料を噴射させるＥＧＲ停止時制御手段と、
を備えることを特徴とする内燃機関の制御装置。
【請求項３】
前記過渡時制御手段は、前記過渡運転時における目標ＥＧＲ率と実際のＥＧＲ率とを比較した値に基づいて、全燃料噴射量に対する前記筒内噴射弁からの燃料噴射量の比率を設定することを特徴とする請求項１に記載の内燃機関の制御装置。
【請求項４】
前記ＥＧＲ装置は、前記内燃機関の排気通路と吸気通路とを接続するＥＧＲ通路と、該ＥＧＲ通路の通路面積を調節することによりＥＧＲガスの流量を調節するＥＧＲ弁と、を備え、
前記内燃機関の温度が前記所定値以下から上昇して該所定値よりも高くなったときに、前記ＥＧＲ弁の開度と、全燃料噴射量に対する前記通路内噴射弁からの燃料噴射量の比率と、を前記検知手段により検知される温度に応じて設定するＥＧＲ供給開始時制御手段を備えることを特徴とする請求項２に記載の内燃機関の制御装置。
【請求項５】
前記ＥＧＲ停止時制御手段は、前記内燃機関の温度が前記所定値よりも更に低い第２所定値以下の場合には、前記筒内噴射弁からの燃料の噴射を停止させて、前記通路内噴射弁のみから燃料を噴射させることを特徴とする請求項２に記載の内燃機関の制御装置。
【発明の詳細な説明】
【技術分野】
【０００１】
本発明は、内燃機関の制御装置に関する。
【背景技術】
【０００２】
吸気ポート内に燃料を噴射するポート噴射用インジェクタと、燃焼室内に燃料を直接噴射する筒内噴射用インジェクタと、を備え、ポート噴射用インジェクタから吸気ポート内に燃料を噴射させて均質燃焼運転を実行する際に、筒内噴射用インジェクタから所定量の燃料を噴射させる技術が知られている（例えば、特許文献１参照。）。この技術によれば、均質燃焼運転の実行中に何らかの理由によって排気還流手段による排気還流量が目標量から外れたとしても、筒内噴射用インジェクタから噴射された燃料が燃焼室内で点火されて燃焼するので、燃焼室内の燃焼状態を安定化させて失火を抑制することができる。
【０００３】
ところで、高負荷側に内燃機関の動作線を設定して熱効率の高い領域で運転を行なうシステムにおいては、主に冷却損失とノッキングの発生による排気損失とにより熱効率が低下し得る。この熱効率の低下を抑制するために、比較的多くの冷却されたＥＧＲガスを供給して気筒内の熱容量を上げることが行われている。このＥＧＲガスにより、気筒内の温度が低くなるので、冷却損失及びノッキングの発生を抑制できるため、燃費を向上させることができる。
【０００４】
しかし、ＥＧＲガスを多く供給すると、ＥＧＲガス自体は不活性ガスであるため、燃焼状態が悪化する虞があるので、例えばタンブル比を高くして気筒内の乱れを大きくしたり、圧縮比を高くしたりして燃焼状態の悪化を抑制している。このようなシステムでは、ＥＧＲガスを多く供給するときには燃焼状態の悪化を抑制できるが、何らかの原因によりＥＧＲガスを多く供給することができなくなったときには、ＥＧＲガスによるノッキング抑制の効果を得ることができないため、ノッキングが発生し易くなる。そうすると、車両サージを起こす虞がある。特に、加速運転時には、ＥＧＲガスが遅れて供給されるため、すぐには目標量を確保することができないので、ノッキングが発生し易くなる。
【先行技術文献】
【特許文献】
【０００５】
【特許文献１】特開２００６−０４６１１８号公報
【特許文献２】特開２００６−０４６０８４号公報
【発明の概要】
【発明が解決しようとする課題】
【０００６】
本発明は、上記したような問題点に鑑みてなされたものであり、その目的は、内燃機関の吸気通路内と気筒内との燃料噴射量の比率を最適化することによりノッキングの発生を抑制することにある。
【課題を解決するための手段】
【０００７】
上記課題を達成するために本発明による内燃機関の制御装置は、以下の手段を採用した。すなわち、本発明による内燃機関の制御装置は、
内燃機関の吸気通路に燃料を噴射する通路内噴射弁と、
前記内燃機関の気筒内に燃料を噴射する筒内噴射弁と、
前記内燃機関の排気通路と吸気通路とを接続し排気の一部をＥＧＲガスとして吸気通路へ供給するＥＧＲ装置と、
ＥＧＲガス量が目標量に対して不足する過渡運転時においては、定常運転時よりも全燃
料噴射量に対する前記筒内噴射弁からの燃料噴射量の比率を高め、且つ、高めた後の全燃料噴射量に対する前記筒内噴射弁からの燃料噴射量の比率及び気筒内の全ガス量に対するＥＧＲガス量の比率に基づいて点火時期を設定する過渡時制御手段と、
を備えることを特徴とする。
【０００８】
全燃料噴射量とは、通路内噴射弁からの燃料噴射量と筒内噴射弁からの燃料噴射量とを合わせた燃料噴射量である。そして定常運転時の全燃料噴射量、通路内噴射弁からの燃料噴射量、筒内噴射弁からの燃料噴射量は、例えば内燃機関の運転状態により決定される。この関係は、予め記憶しておくことができる。一方、ＥＧＲガス量が目標量に対して不足する過渡運転時においては、定常運転時よりも、全燃料噴射量に対する筒内噴射弁からの燃料噴射量の比率を高くする。この場合、全燃料噴射量は定常運転時と同じにすることができる。つまり、定常運転時よりも、全燃料噴射量に対する筒内噴射弁からの燃料噴射量の比率を高くし、通路内噴射弁からの燃料噴射量の比率を低くする。なお、全燃料噴射量は変更しても良い。例えばタンブル比及び圧縮比が共に高い内燃機関において、加速運転時等でＥＧＲガスが遅れて供給される場合であっても、筒内噴射弁からの燃料噴射量の割合を高くするために、気筒内の温度上昇を燃料の気化潜熱により抑制することができる。これにより、ノッキングの発生を抑制することができる。
【０００９】
また、ＥＧＲガス量が目標量に対して不足する過渡運転時における点火時期を、高めた後の全燃料噴射量に対する筒内噴射弁からの燃料噴射量の比率及び気筒内の全ガス量に対するＥＧＲガス量の比率に基づいて設定することにより、車両サージの限界を超えないように点火時期を設定することができる。ここで、ＥＧＲ率は、気筒内の全ガス量に対するＥＧＲガス量の比率である。過渡運転時において、全燃料噴射量に対する筒内噴射弁からの燃料噴射量の比率を高くすることで、ノッキングが発生し難くなるため、その分は点火時期を進角させることができる。しかし、ＥＧＲガス量が目標量に対して不足しているため、ノッキングが発生し易くなるので、その分は点火時期を遅角させなくてはならない。すなわち、全燃料噴射量に対する筒内噴射弁からの燃料噴射量及びＥＧＲ率はノッキングの発生に対して影響を与えるため、これらの値に基づいて点火時期を設定すれば、ノッキングの発生を抑制する点火時期を設定することができる。
【００１０】
また、上記課題を達成するために本発明による内燃機関の制御装置は、以下の手段を採用した。すなわち、本発明による内燃機関の制御装置は、
内燃機関の吸気通路に燃料を噴射する通路内噴射弁と、
前記内燃機関の気筒内に燃料を噴射する筒内噴射弁と、
前記内燃機関の排気通路と吸気通路とを接続し排気の一部をＥＧＲガスとして吸気通路へ供給するＥＧＲ装置と、
前記内燃機関の温度を検知する検知手段と、
前記検知手段により検知される内燃機関の温度が所定値以下のときに、前記ＥＧＲ装置によるＥＧＲガスの供給を停止させる停止手段と、
前記停止手段によりＥＧＲガスの供給が停止されている間は、前記通路内噴射弁からの燃料の噴射を停止させて前記筒内噴射弁のみから燃料を噴射させるＥＧＲ停止時制御手段と、
を備えることを特徴とする。
【００１１】
内燃機関の温度とは、例えば冷却水温度、潤滑油温度としても良い。この内燃機関の温度は、気筒内の燃焼状態に影響を与える箇所、部材、または熱媒体の温度とすることができる。そして、内燃機関の温度の所定値とは、ＥＧＲガスを供給したときに燃焼状態が悪化する虞のある温度（例えば、燃焼変動が許容範囲を超える温度）であり、例えば内燃機関の暖機が完了する前の温度である。つまり、内燃機関の温度が所定値以下のときにＥＧＲガスを供給すると、燃焼状態が悪化し得る。すなわち、内燃機関の温度が所定値以下の
ときにＥＧＲガスの供給を停止させることにより、燃焼状態の悪化を抑制できる。
【００１２】
そして、内燃機関の温度が所定値以下のときに筒内噴射弁のみから燃料を噴射させると、気筒内の温度を燃料の気化潜熱により低減することができる。つまり、ＥＧＲガスの供給を停止させることによりノッキングが発生し易くなるが、筒内噴射弁のみから燃料を供給することで気筒内の温度を低下させてノッキングの発生を抑制することができる。
【００１３】
なお、本発明においては、前記過渡時制御手段は、前記過渡運転時における目標ＥＧＲ率と実際のＥＧＲ率とを比較した値に基づいて、全燃料噴射量に対する前記筒内噴射弁からの燃料噴射量の比率を設定することができる。
【００１４】
ここで、比較値は、比であっても良く、差であっても良い。この比較値は、目標ＥＧＲ率に対して実際のＥＧＲ率がどの程度不足しているのかを示す値である。目標ＥＧＲ率に対して実際のＥＧＲ率が小さい場合には、ＥＧＲガスが不足しているために、ノッキングが発生し易くなる。これに対し、過渡運転時における目標ＥＧＲ率と実際のＥＧＲ率とを比較した値に基づいて筒内噴射弁からの燃料噴射量の比率を設定すれば、ノッキングの発生のし易さに応じた設定が可能となる。なお、目標ＥＧＲ率は、例えば内燃機関の運転状態に応じて予め記憶されている値とし、実際のＥＧＲ率は、例えば内燃機関の運転状態から推定しても、また実際に測定しても良い。また、ＥＧＲ率に代えて、ＥＧＲガス量、またはＥＧＲガス量を調節するＥＧＲ弁の開度の比較値によっても、全燃料噴射量に対する筒内噴射弁からの燃料噴射量の比率を設定することができる。
【００１５】
また、本発明においては、前記ＥＧＲ装置は、前記内燃機関の排気通路と吸気通路とを接続するＥＧＲ通路と、該ＥＧＲ通路の通路面積を調節することによりＥＧＲガスの流量を調節するＥＧＲ弁と、を備え、
前記内燃機関の温度が前記所定値以下から上昇して該所定値よりも高くなったときに、前記ＥＧＲ弁の開度と、全燃料噴射量に対する前記通路内噴射弁からの燃料噴射量の比率と、を前記検知手段により検知される温度に応じて設定するＥＧＲ供給開始時制御手段を備えることができる。
【００１６】
ここで、温度が低い場合には燃焼状態が悪化し易くなる（例えば、燃焼変動が大きくなる）ため、供給するＥＧＲガス量が制限される。すなわち、内燃機関の温度に応じて供給可能なＥＧＲガス量が異なるため、この温度に応じてＥＧＲガスを供給すれば燃料状態を悪化させずに可及的多くのＥＧＲガスを導入することができる。そして、内燃機関の温度が所定値以下のときには、ＥＧＲガスの供給が停止される。しかし、ＥＧＲガスの供給が停止されることで、ノッキングが発生し易くなる。このため、筒内噴射弁のみから燃料を噴射している。つまり、筒内噴射弁のみから燃料を噴射することで、気化潜熱により気筒内の温度をより低くすることができるため、ノッキングの発生を抑制できる。
【００１７】
そして、内燃機関の温度が所定値以下から上昇して該所定値よりも高くなったときには、燃焼状態の悪化を抑制するために、内燃機関の温度に応じてＥＧＲガス量を徐々に増加する。しかし、ＥＧＲガス量を徐々に増加している間は、ＥＧＲガス量はノッキングを抑制するために必要な量よりも少ないので、ノッキングが発生する虞がある。すなわち、ＥＧＲ弁が開かれてＥＧＲガスが供給されるものの、ＥＧＲガス量が不足しているためにノッキングが発生し易くなる。このときに、全燃料噴射量に対する通路内噴射弁からの燃料噴射量の比率を急激に高めると、ノッキングが発生する虞がある。これに対し、ＥＧＲ弁の開度に応じて、通路内噴射弁からの燃料噴射量の比率を設定すれば、そのときのノッキングのし易さに応じて筒内噴射弁から燃料を噴射させることができるため、ノッキングの発生を抑制できる。そして、ＥＧＲ弁の開度は内燃機関の温度に応じて決定されるため、通路内噴射弁からの燃料噴射量の比率も内燃機関の温度に応じて決定されることになる。
【００１８】
また、本発明においては、前記ＥＧＲ停止時制御手段は、前記内燃機関の温度が前記所定値よりも更に低い第２所定値以下の場合には、前記筒内噴射弁からの燃料の噴射を停止させて、前記通路内噴射弁のみから燃料を噴射させることができる。
【００１９】
ここで、内燃機関の温度が低いときに筒内噴射弁から燃料を噴射させると、気筒壁面に付着した燃料によるオイルの希釈が顕著となる。また、ＰＭ等の排出量が多くなる虞もある。これに対し、オイルの希釈が顕著となる低温度には、筒内噴射弁による燃料噴射を禁止することでオイルが希釈されるのを抑制できる。すなわち、第２所定値とは、例えばオイルの希釈が顕著となる温度とすることができ、例えば常温とすることができる。
【発明の効果】
【００２０】
本発明によれば、内燃機関の吸気通路内と気筒内との燃料噴射量の比率を最適化することによりノッキングの発生を抑制することができる。
【図面の簡単な説明】
【００２１】
【図１】実施例に係る内燃機関の概略構成を表す図である。
【図２】ＥＧＲ装置により供給されるＥＧＲガスのＥＧＲ率（外部ＥＧＲ率）と燃焼変動との関係を示した図である。
【図３】タンブル比及び圧縮比が高い場合の外部ＥＧＲ率と燃焼変動との関係を示した図である。
【図４】実施例１に係る燃料供給のフローを示したフローチャートである。
【図５】実施例１に係る過渡時の燃料供給のフローを示したフローチャートである。
【図６】吹き分け比率と、点火進角補正値と、ＥＧＲ率との関係を示した図である。
【図７】ＥＧＲ弁の開度とＥＧＲ通路におけるＥＧＲガスの流量との関係を示した図である。
【図８】ＥＧＲ弁の開度と目標吹き分け比率との関係を示した図である。
【図９】実施例２に係る燃料供給のフローを示したフローチャートである。
【図１０】実施例３に係る燃料供給のフローを示したフローチャートである。
【図１１】内燃機関の冷却水温度と吹き分け比率との関係を示した図である。
【図１２】実施例４に係る燃料供給のフローを示したフローチャートである。
【発明を実施するための形態】
【００２２】
以下、本発明に係る内燃機関の制御装置の具体的な実施態様について図面に基づいて説明する。なお、下記の実施例は、可能な限り組み合わせることができる。
【実施例１】
【００２３】
図１は、本実施例に係る内燃機関１の概略構成を表す図である。なお、本実施例においては、内燃機関１を簡潔に表示するため、一部の構成要素の表示を省略している。内燃機関１は、４サイクルガソリン機関である。
【００２４】
気筒２内の燃焼室には、シリンダヘッド１０に設けられた吸気ポート３を介して吸気管４が接続されている。気筒２への吸気の流入は吸気弁５によって制御される。吸気弁５の開閉は、吸気側カム６の回転駆動によって制御される。また、シリンダヘッド１０に設けられた排気ポート７を介して、排気管８が接続されている。気筒２外への排気の排出は排気弁９によって制御される。排気弁９の開閉は排気側カム１１の回転駆動によって制御される。なお、本実施例では吸気ポート３または吸気管４が、本発明における吸気通路に相当する。また、本実施例では排気管８が、本発明における排気通路に相当する。
【００２５】
そして、内燃機関１のクランクシャフト１３にコンロッド１４を介して連結されたピス
トン１５が、気筒２内で往復運動を行う。
【００２６】
また、吸気管４の途中には、該吸気管４を流れる吸気の量を調整する吸気絞り弁１６が備えられている。吸気絞り弁１６よりも上流の吸気管４には、該吸気管内を流れる空気の量に応じた信号を出力するエアフローメータ９３が取り付けられている。このエアフローメータ９３により内燃機関１の吸入空気量が検出される。
【００２７】
また、内燃機関１には、排気管８内を流通する排気の一部（以下、ＥＧＲガスという。）を吸気管４へ再循環させるＥＧＲ装置３０が備えられている。このＥＧＲ装置３０は、ＥＧＲ通路３１、ＥＧＲ弁３２、ＥＧＲクーラ３３を備えて構成されている。ＥＧＲ通路３１は、排気管８と、吸気絞り弁１６よりも下流の吸気管４と、を接続している。このＥＧＲ通路３１を通って、ＥＧＲガスが再循環される。また、ＥＧＲ弁３２は、ＥＧＲ通路３１の通路断面積を調整することにより、該ＥＧＲ通路３１を流れるＥＧＲガスの量を調整する。ＥＧＲクーラ３３は、ＥＧＲ弁３２よりも排気管８側に備えられ、該ＥＧＲクーラ３３を通過するＥＧＲガスと、内燃機関１の冷却水とで熱交換をして、該ＥＧＲガスの温度を低下させる。そして、ＥＧＲ弁３２には、該ＥＧＲ弁３２の開度を測定する開度センサ３４が取り付けられている。
【００２８】
また、内燃機関１の近傍の吸気管４には、燃料を吸気ポート３へ向けて噴射する通路内噴射弁８１が取り付けられている。また、内燃機関１には、気筒２内へ燃料を噴射する筒内噴射弁８２が取り付けられている。さらに、内燃機関１には、気筒２内に電気火花を発生させる点火プラグ８３が取り付けられている。また、内燃機関１には、該内燃機関１の冷却水の温度を測定する温度センサ９４が取り付けられている。なお、本実施例においては温度センサ９４が、本発明における検知手段に相当する。
【００２９】
そして、内燃機関１には、該内燃機関１を制御するための電子制御装置であるＥＣＵ９０が併設されている。このＥＣＵ９０は、ＣＰＵの他、各種のプログラム及びマップを記憶するＲＯＭ、ＲＡＭ等を備えており、内燃機関１の運転条件や運転者の要求に応じて内燃機関１の運転状態等を制御する装置である。
【００３０】
ここで、上記各種センサの他、アクセル開度センサ９１およびクランクポジションセンサ９２がＥＣＵ９０と電気的に接続されている。ＥＣＵ９０はアクセル開度センサ９１からアクセル開度に応じた信号を受け取り、この信号に応じて内燃機関１に要求される機関負荷等を算出する。また、ＥＣＵ９０はクランクポジションセンサ９２から内燃機関１の出力軸の回転角に応じた信号を受け取り、内燃機関１の機関回転数を算出する。
【００３１】
一方、ＥＣＵ９０には、ＥＧＲ弁３２、通路内噴射弁８１、筒内噴射弁８２、点火プラグ８３が電気配線を介して接続されており、該ＥＣＵ９０によりこれらの機器が制御される。
【００３２】
そして、本実施例に係る内燃機関１は、大量のＥＧＲガスを供給できるように、タンブル比及び圧縮比が比較的高く設定されているか、又は燃料にレギュラーガソリンが使用可能である。この内燃機関１によれば、大量のＥＧＲガスを供給することにより、気筒２内の熱容量を大きくすることができるため、気筒２内の温度を低くすることができる。そうすると、冷却損失及びノッキングの発生を抑制できる。また、内燃機関１の動作線を高負荷側に設定することができるため、熱効率を高くすることができる。
【００３３】
ここで、大量のＥＧＲガスを供給すると燃焼状態が悪化し得る（燃焼変動が大きくなり得る）が、例えばタンブル比及び圧縮比を比較的高く設定することで燃焼状態の悪化を抑制できる。しかし、ＥＧＲガスは常に供給しているわけではないため、ＥＧＲガスを供給
していないときには、タンブル比及び圧縮比が比較的高いことによりノッキングが発生し易くなる。例えば圧縮比が高いと、圧縮端の温度及び圧力が上昇するため、燃焼時の温度及び圧力も上昇してしまうので、ノッキングが発生し易くなる。また、タンブル比が高いと、吸気が絞られることにより吸気温度が高くなるために燃焼時の温度も高くなるのでノッキングが発生し易くなる。そして、ノッキングにより点火時期を進角することができなくなると、車両サージを引き起こす虞がある。
【００３４】
図２は、ＥＧＲ装置３０により供給されるＥＧＲガスのＥＧＲ率（外部ＥＧＲ率）と燃焼変動との関係を示した図である。燃焼変動が大きくなるほど、燃焼状態が悪化しているといえる。また、燃焼変動が大きくなるほど、車両サージが起こり易くなる。燃焼変動が閾値よりも小さいときには、燃焼変動が許容範囲内となり、閾値以上のときには、燃焼変動が許容範囲外となる。
【００３５】
図２において、実線は、低ＲＯＮ燃料で且つタンブル比及び圧縮比が高い場合、破線は、高ＲＯＮ燃料で且つタンブル比及び圧縮比が高い場合、一点鎖線は、低ＲＯＮ燃料で且つタンブル比及び圧縮比が低い場合、二点鎖線は、高ＲＯＮ燃料で且つタンブル比及び圧縮比が低い場合を示している。なお、図２は、通路内噴射弁８１及び筒内噴射弁８２の両方から燃料を噴射した場合、又は通路内噴射弁８１のみから燃料を噴射した場合を示している。
【００３６】
図２を見れば分かるように、タンブル比及び圧縮比が高い場合であって低ＲＯＮ燃料を用いた場合（実線）には、ＥＧＲ率が低いときに燃焼変動が大きくなる。すなわち、ノッキングが発生するため、点火時期を進角させることができなくなり、車両サージが起こる。しかし、タンブル比及び圧縮比が低い場合よりも、タンブル比及び圧縮比が高い場合は、外部ＥＧＲ率がより高くても燃焼変動を抑制することができる（燃焼限界が拡大する）。
【００３７】
また、図３は、タンブル比及び圧縮比が高い場合の外部ＥＧＲ率と燃焼変動との関係を示した図である。実線は通路内噴射弁８１及び筒内噴射弁８２の両方から燃料を供給した場合を示し、一点鎖線は筒内噴射弁８２のみから燃料を供給した場合を示している。実線は、通路内噴射弁８１のみから燃料を供給した場合も含む。
【００３８】
図３を見れば分かるように、外部ＥＧＲ率が低い場合には、筒内噴射弁８２のみから燃料を供給したほうが燃焼変動を抑制できる。そして、筒内噴射弁８２のみから燃料を供給すれば、外部ＥＧＲ率が０の場合であっても点火時期を進角させることができるので、ＥＧＲガスを供給しなくても燃焼変動を閾値よりも小さくすることができる。しかし、筒内噴射弁８２のみから燃料を供給すると、より低い外部ＥＧＲ率で、燃焼変動が閾値以上となる。すなわち、外部ＥＧＲ率が高い場合に筒内噴射弁８２のみから燃料を供給すると、燃料の霧化及び空気との混合が促進されないため、燃焼限界が低下してしまい、燃焼状態が悪化し易い。
【００３９】
このように、ＥＧＲ率によって、燃料変動を抑制し得る燃料の供給態様が異なる。
【００４０】
そこで本実施例では、ＥＧＲ装置３０からＥＧＲガスを供給していないとき、すなわちＥＧＲ弁３２が全閉となっているときに、筒内噴射弁８２のみから燃料を供給している。ＥＧＲガスを供給していない場合には、図３に示すように、筒内噴射弁８２のみから燃料を供給したほうが、通路内噴射弁８１を併用するよりも、燃焼変動を小さくすることができる。
【００４１】
すなわち、ＥＧＲガスの供給が停止されていることにより、ＥＧＲガスによるノッキン
グ抑制効果が得られなくなるが、このときに筒内噴射弁８２のみから燃料を供給することで、燃料の気化潜熱により気筒２内の温度を低下させることができるので、ノッキングの発生を抑制できる。また、ノッキングの発生を抑制できるため、点火時期を進角させることができる。これらにより、車両サージを抑制できる。なお、ＥＧＲガスの供給は、内燃機関１の温度が所定値以下のときに停止される。この所定値は、ＥＧＲガスを供給すると内燃機関１の燃焼状態が悪化し得る温度として実験等により求めておく。なお、本実施例においては内燃機関１の温度が所定値以下のときにＥＧＲガスの供給を停止させるＥＣＵ９０が、本発明における停止手段に相当する。
【００４２】
また、ＥＧＲガスが供給されている場合には、通路内噴射弁８１及び筒内噴射弁８２の両方から燃料を供給する。これにより、燃料の霧化を促進させて燃焼限界を拡大することができる。
【００４３】
図４は、本実施例に係る燃料供給のフローを示したフローチャートである。本ルーチンは所定の時間毎にＥＣＵ９０により実行される。
【００４４】
ステップＳ１０１では、機関回転数及び機関負荷が取得される。すなわち、内燃機関１の運転状態が取得される。具体的には、アクセル開度センサ９１およびクランクポジションセンサ９２の出力値が読み込まれる。
【００４５】
ステップＳ１０２では、内燃機関１の運転領域が、ノッキングが発生する運転領域であるか否か判定される。例えば予め規定されている中負荷以上であるか否か判定する。ステップＳ１０２で肯定判定がなされた場合にはステップＳ１０３へ進み、否定判定がなされた場合には本ルーチンを終了させる。なお、本ステップは無くても良く、その場合にはステップＳ１０１の後にステップＳ１０３を実行する。
【００４６】
ステップＳ１０３では、ＥＧＲ弁３２の開度が０であるか否か判定される。すなわち、ＥＧＲ装置３０からのＥＧＲガスの供給が停止されているか否か判定される。なお、ＥＣＵ９０にて算出されるＥＧＲ率が０であるか否か判定しても良い。また、ＥＧＲ弁３２が全閉となっても吸気管４内に残留しているＥＧＲガスが気筒２内に供給されたり、また、ＥＧＲ弁３２が開かれてもＥＧＲガスが気筒２内に導入されるまで時間がかかったりする。すなわち、ＥＧＲ弁３２の開度の変化に対して気筒２内に導入されるＥＧＲガスの変化には遅れがある。この遅れを考慮して、気筒２内にＥＧＲガスが存在していないのか否か判定しても良い。この遅れは、吸気の流速等によって変わるため、例えば内燃機関１の運転状態と関連付けて予め求めてＥＣＵ９０に記憶させておいても良い。そして、ステップＳ１０３で肯定判定がなされた場合にはステップＳ１０４へ進み、否定判定がなされた場合にはステップＳ１０５へ進む。
【００４７】
ステップＳ１０４では、筒内噴射弁８２のみから燃料を供給する。ステップＳ１０５では、通路内噴射弁８１及び筒内噴射弁８２の両方から燃料を供給するか、または通路内噴射弁８１のみから燃料を供給する。すなわちステップＳ１０５では、少なくとも通路内噴射弁８１から燃料を供給する。なお、本実施例においてはステップＳ１０４を処理するＥＣＵ９０が、本発明におけるＥＧＲ停止時制御手段に相当する。
【００４８】
このようにＥＧＲガスの供給が停止されているか否かに応じて、噴射弁を使い分けることにより、燃焼変動を抑制しつつ燃費を向上させることができる。
【００４９】
ところで、機関回転数または機関負荷が変化している最中の過渡運転時においては、これらの変化に合わせてＥＧＲ弁３２の開度も変化する。すなわち、内燃機関１の運転状態（例えば機関回転数及び機関負荷）に応じてＥＧＲ弁３２の目標開度が設定される場合に
は、目標開度が絶えず変化するため、ＥＧＲ弁３２の目標開度（以下、目標ＥＧＲ弁開度ともいう。）と実際の開度（以下、実ＥＧＲ弁開度ともいう。）とに差が生じる。また、ＥＧＲ弁３２の開度は瞬時に変化するわけではないので、実ＥＧＲ弁開度が目標ＥＧＲ弁開度に合うまでに時間がかかる。ＥＧＲ弁３２の目標ＥＧＲ弁開度と実ＥＧＲ弁開度とに差が有る場合には、ＥＧＲ率も目標値に到達していないため、所望の燃焼状態を得ることが困難となる。
【００５０】
そこで、本実施例では、過渡運転時において、目標ＥＧＲ弁開度と実ＥＧＲ弁開度とに応じて全燃料噴射量に対する通路内噴射弁８１からの燃料噴射量の比率（以下、吹き分け比率という。）を設定する。なお、吹き分け比率は０から１までの値であり、吹き分け比率が０のときには、筒内噴射弁８２のみから燃料が供給され、吹き分け比率が１のときには、通路内噴射弁８１のみから燃料が供給されるものとする。
【００５１】
吹き分け比率は、内燃機関１の運転状態に応じて設定される基準値がＥＣＵ９０に予め記憶されている。なお、基準値は、ＥＧＲ弁３２の開度に応じて決定しても良い。そして、過渡運転時においては、吹き分け比率の基準値をそのまま用いるのではなく、目標ＥＧＲ弁開度に対する実ＥＧＲ弁開度の比率に応じて変更した吹き分け比率を用いる。目標ＥＧＲ弁開度に対する実ＥＧＲ弁開度の比率は、目標ＥＧＲ弁開度に対する実ＥＧＲ弁開度の不足の度合いを表す値である。なお、ＥＣＵ９０により実際のＥＧＲ率を推定し、目標ＥＧＲ率に対する実際のＥＧＲ率の比率に応じて吹き分け比率の基準値を変更しても良い。
【００５２】
図５は、本実施例に係る過渡時の燃料供給のフローを示したフローチャートである。本ルーチンは所定の時間毎にＥＣＵ９０により実行される。なお、図４に示したフローと同じ処理がなされるステップについては、同じ符号を付して説明を省略する。
【００５３】
ステップＳ２０１では、ＥＧＲ弁３２の目標開度（目標ＥＧＲ弁開度）が取得される。目標ＥＧＲ弁開度は、内燃機関１の運転状態（例えば機関回転数及び機関負荷）に応じて予め設定されており、ＥＣＵ９０に記憶されている。
【００５４】
ステップＳ２０２では、ＥＧＲ弁３２の実開度（実ＥＧＲ弁開度）が取得される。すなわち、開度センサ３４による測定値が読み込まれる。
【００５５】
次にステップＳ１０２へ進み、肯定判定がなされた場合（ノッキングが発生する運転領域であると判定された場合）にはステップＳ２０３へ進み、否定判定がなされた場合（ノッキングが発生する領域でないと判定された場合）には吹き分け比率を変更する必要はないため、ステップＳ２０７へ進んで初期設定のままの吹き分け比率にて燃料の供給が行なわれる。初期設定の吹き分け比率は、吹き分け比率の基準値であり、内燃機関１の運転状態（例えば機関回転数及び機関負荷）に応じて設定される値である。
【００５６】
ステップＳ２０３では、ステップＳ２０２で取得される実ＥＧＲ弁開度が、ステップＳ２０１で取得される目標ＥＧＲ弁開度よりも小さいか否か判定される。すなわち、ＥＧＲガスが不足しているか否か判定される。ステップＳ２０３で肯定判定がなされた場合にはステップＳ２０４へ進み、否定判定がなされた場合には吹き分け比率を変更する必要はないため、ステップＳ２０７へ進んで初期設定のままの吹き分け比率にて燃料の供給が行なわれる。
【００５７】
ステップＳ２０４では、吹き分け比率を変更するために用いる吹き分け比率係数を算出する。吹き分け比率係数とは、吹き分け比率の基準値に乗じる係数であり、実ＥＧＲ弁開度を目標ＥＧＲ弁開度で除した値である。すなわち、目標ＥＧＲ弁開度に対する実ＥＧＲ
弁開度の比率を吹き分け比率係数として算出する。なお、目標となるＥＧＲ率を実際のＥＧＲ率で除した値を吹き分け比率係数としても良い。また、目標となるＥＧＲガス量を実際のＥＧＲガス量で除した値を吹き分け比率係数としても良い。
【００５８】
ステップＳ２０５では、吹き分け比率を再設定して燃料を供給する。新たな吹き分け比率は、吹き分け比率の基準値にステップＳ２０４で算出された吹き分け比率係数を乗じて算出される。
【００５９】
ステップＳ２０６では、点火時期を再設定する。本ステップでは、ステップＳ２０４で算出される吹き分け比率係数またはステップＳ２０５で再設定される吹き分け比率に応じて点火時期を再設定する。ここで、吹き分け比率が０に近づくほど、すなわち、筒内噴射弁８２により気筒２内に噴射される燃料の比率が高くなるほど、気化潜熱による温度低下が大きくなるため、点火時期を進角させることができる。一方、ＥＧＲガス量が不足することによりノッキングが発生し易くなるので、この点では点火時期を遅角させなくてはならない。これらを考慮して、点火時期を再設定する。
【００６０】
例えば、ノッキングのし易さは実際のＥＧＲ率（実ＥＧＲ弁開度としても良い。）及び吹き分け比率に応じて変化するため、実際のＥＧＲ率（または実ＥＧＲ弁開度）、吹き分け比率、及び点火時期の関係を予め求めてマップ化しておいても良い。図６は、吹き分け比率と、点火進角補正値と、ＥＧＲ率との関係を示した図である。横軸は吹き分け比率であり、横軸の左端は吹き分け比率が１のとき（すなわち、通路内噴射弁８１のみから燃料を供給したとき）を示し、右端は吹き分け比率が０のとき（すなわち、筒内噴射弁８２のみから燃料を供給したとき）を示している。また、縦軸は、点火時期進角補正値（点火時期の進角量の補正値）であり、数値が大きいほど（図６の上側ほど）進角量が大きくなる。点火時期進角補正値は、内燃機関１の運転状態に応じて決定される点火時期に対しての進角量である。図６に示すように、吹き分け比率が０に近づくほど、すなわち、筒内噴射弁８２により気筒２内に噴射される燃料の比率が高くなるほど、点火時期の進角量を大きくしている（点火進角補正値を大きくしている）。また、ＥＧＲ率が高くなるほど、点火時期の進角量を大きくしている（点火進角補正値を大きくしている）。このマップに新たな吹き分け比率及び実際のＥＧＲ率（または実ＥＧＲ弁開度）を代入することにより、新たな点火時期を得ることができる。
【００６１】
また、吹き分け比率が基準値のときの点火時期と、筒内噴射弁８２のみから燃料を供給したときの点火時期と、の差に吹き分け比率係数を乗じた値を、筒内噴射弁８２のみから燃料を供給したときの点火時期に加えることによっても、新たな吹き分け比率に応じた点火時期を算出することができる。
【００６２】
このように、目標ＥＧＲ弁開度に対する実ＥＧＲ弁開度の比率に応じて吹き分け比率を設定することにより、燃焼状態に応じた設定が可能となる。なお、本実施例においてはステップＳ２０３から２０６を処理するＥＣＵ９０が、本発明における過渡時制御手段に相当する。
【００６３】
以上説明したように本実施例によれば、ＥＧＲ弁３２の開度またはＥＧＲ率に応じてノッキングの発生のし易さを把握し、これに対し気筒２内への燃料供給量と吸気ポート３内への燃料供給量との比率を変化させることで、ノッキングの発生を抑制できる。また、このようにノッキングの発生を抑制すると点火時期を進角させることができるため、車両サージを抑制できる。
【実施例２】
【００６４】
本実施例では、実施例１とは異なり、機関回転数または機関負荷が変化している最中の
過渡運転時において、目標ＥＧＲ弁開度が全開または全開近傍の場合には、ＥＧＲ弁開度が例えば７０％のときの吹き分け比率を基準として、吹き分け比率を再設定する。
【００６５】
ここで、図７は、ＥＧＲ弁３２の開度とＥＧＲ通路３１におけるＥＧＲガスの流量との関係を示した図である。また、図８は、ＥＧＲ弁３２の開度と目標吹き分け比率との関係を示した図である。図７及び図８において、Ａは目標開度（全開であり開度１００％）、Ｂは例えば全開に対して７０％となる開度である。
【００６６】
図７を見れば分かるように、ＥＧＲ弁３２の開度が大きくなるほど、ＥＧＲガスの流量は増加するが、ＥＧＲガスの流量の増加度合いは次第に小さくなる。例えば、ＥＧＲ弁３２が全開近くで開度が３０％異なる場合と、全閉近くで開度が３０％異なる場合とでは、全開近くのほうがＥＧＲガスの流量の変化が少ない。
【００６７】
すなわち、目標ＥＧＲ弁開度が全開近傍の場合には、実ＥＧＲ弁開度が目標ＥＧＲ弁開度となっていなくても、ＥＧＲガスの流量は目標ＥＧＲ弁開度のときと殆ど変わらないこともある。そこで、ＥＧＲ弁３２の開度の変化に対してＥＧＲガスの流量の変化が小さい領域では、実施例１とは異なり、ある程度の開度（例えば７０％）を基準として吹き分け比率を再設定する。そして、この基準となる開度よりも大きな開度のときには、基準となる開度のときに設定された吹き分け比率を用いる。
【００６８】
ここで、図８において、実線は本実施例により設定される吹き分け比率を示し、一点鎖線は実施例１により設定される吹き分け比率を示している。このように、本実施例により設定される吹き分け比率は、実施例１で設定される吹き分け比率よりも全体的に高くなる。本実施例では、ＥＧＲガスの実際の流量に即した吹き分け比率を設定している。
【００６９】
図９は、本実施例に係る燃料供給のフローを示したフローチャートである。本ルーチンは所定の時間毎にＥＣＵ９０により実行される。なお、前記フローと同じ処理がなされるステップについては、同じ符号を付して説明を省略する。
【００７０】
ステップＳ１０２で肯定判定がなされた場合、すなわち、内燃機関１の運転領域が、ノッキングが発生する運転領域であると判定された場合には、ステップＳ３０１へ進む。
【００７１】
ステップＳ３０１では、目標ＥＧＲ弁開度が全開領域であるか否か判定される。全開領域は、全開のみとしても良く、全開と同じに扱っても良い領域を含んでいても良い。本ステップでは、ＥＧＲ弁３２の開度が変化してもＥＧＲガスの流量が殆ど変化しない領域に目標ＥＧＲ弁開度が設定されているか否か判定している。ステップＳ３０１で肯定判定がなされた場合にはステップＳ３０２へ進む。一方、否定判定がなされた場合にはステップＳ２０３へ進み、それ以降は実施例１と同じ処理がなされる。
【００７２】
ステップＳ３０２では、仮目標ＥＧＲ弁開度が取得される。仮目標ＥＧＲ弁開度は、吹き分け比率を算出するために設定されるＥＧＲ弁３２の開度であり図７，８のＢの開度に相当する。この仮目標ＥＧＲ弁開度は、最終的な目標ＥＧＲ弁開度のときと比較してＥＧＲガス流量の差が小さい開度であり、例えば全開の７０％の開度である。なお、ＥＧＲガスの流量は、最終的な目標ＥＧＲ弁開度、機関負荷（吸気管４内の負圧）によって変化するため、仮目標ＥＧＲ弁開度、最終的な目標ＥＧＲ弁開度、及び機関負荷の関係をマップ化しておき、該マップから仮目標ＥＧＲ弁開度を得ても良い。また、現時点での負圧、及びＥＧＲ弁３２の開度とＥＧＲガスの流量との関係から仮目標ＥＧＲ弁開度を得ても良い。
【００７３】
ステップＳ３０３では、ステップＳ２０２で取得される実ＥＧＲ弁開度が、ステップＳ
３０２で取得される仮目標ＥＧＲ弁開度よりも小さいか否か判定される。すなわち、ＥＧＲガスが不足しているか否か判定される。ステップＳ３０３で肯定判定がなされた場合にはステップＳ３０４へ進み、否定判定がなされた場合には吹き分け比率を変更する必要はないため、ステップＳ２０７へ進んで初期設定のままの吹き分け比率にて燃料の供給が行なわれる。
【００７４】
ステップＳ３０４では、吹き分け比率係数を算出する。吹き分け比率係数は、実ＥＧＲ弁開度を仮目標ＥＧＲ弁開度で除した値である。すなわち、仮目標ＥＧＲ弁開度に対する実ＥＧＲ弁開度の比率を吹き分け比率係数として算出する。その後、ステップＳ２０５へ進む。
【００７５】
このように、ＥＧＲ弁３２の開度が最終的な目標ＥＧＲ弁開度である全開ではなく、ＥＧＲガスの流量の差が小さいある程度の開度を基準とすることにより、ＥＧＲ流量が殆ど変化することのないＥＧＲ弁３２の開度のときに吹き分け比率を変化させる必要がなくなるため、制御を簡略化することができる。
【実施例３】
【００７６】
本実施例では、実施例１とは異なり、ＥＧＲガスの導入が開始される温度域において、ＥＧＲ弁３２の開度を内燃機関１の温度に応じて除変させつつ、ＥＧＲ弁３２の開度に基づいて吹き分け比率を決定する。
【００７７】
ここで、導入できるＥＧＲガス量には内燃機関１の温度による制約があり、機関温度が低いときには燃焼状態の悪化を抑制するためにＥＧＲガスの供給が停止される。ＥＧＲガスの供給が開始される温度域では、ノッキングの発生を抑制するために必要なＥＧＲガス量に対して、それよりも少ない量しかＥＧＲガスを供給することができない。そして、内燃機関１の温度上昇と共にＥＧＲガスの供給量を増加するため、ＥＧＲガス量の増加は緩慢である。そうすると、ＥＧＲガス量が十分となるまでは、ノッキングが発生する虞がある。これに対し本実施例では、このような温度域において、吹き分け比率をＥＧＲ弁３２の開度に基づいて設定している。
【００７８】
図１０は、本実施例に係る燃料供給のフローを示したフローチャートである。本ルーチンは所定の時間毎にＥＣＵ９０により実行される。なお、前記フローと同じ処理がなされるステップについては、同じ符号を付して説明を省略する。
【００７９】
ステップＳ４０１では、機関回転数及び機関負荷、さらには内燃機関１の冷却水温度が取得される。内燃機関１の冷却水温度は温度センサ９４により得る。
【００８０】
ステップＳ４０２では、ＥＧＲ弁開度補正係数が算出される。ＥＧＲ弁開度補正係数とは、目標ＥＧＲ弁開度に対して乗じることで新たな目標ＥＧＲ弁開度を得るための係数であり、ＥＧＲ弁３２の開度を冷却水温度に応じて補正するための係数である。冷却水温度が閾値よりも低い場合には、ＥＧＲ弁３２の開度は０となるが、冷却水温度が閾値となるとＥＧＲ弁３２が開き始める。そして、冷却水温度が高くなるほど、実ＥＧＲ弁開度を目標ＥＧＲ弁開度に近づけるようにＥＧＲ弁開度補正係数が設定される。冷却水温度の閾値や、ＥＧＲ弁開度補正係数は、内燃機関１の種類等により変わるため、予め最適値を実験等により求めてマップ化しておく。
【００８１】
ステップＳ４０３では、目標ＥＧＲ弁開度が算出される。目標ＥＧＲ弁開度は、例えば機関回転数及び機関負荷により設定される目標ＥＧＲ弁開度にＥＧＲ弁開度補正係数を乗じて新たな目標ＥＧＲ弁開度として算出される。内燃機関１の冷却水温度が閾値よりも低い場合には、目標ＥＧＲ弁開度は０となる。なお、本実施例では、目標ＥＧＲ弁開度と実
ＥＧＲ弁開度は等しいものとする。
【００８２】
ステップＳ１０３では、ＥＧＲ弁３２の開度が０であるか否か判定され、肯定判定がなされた場合にはステップＳ１０４へ進んで筒内噴射弁８２のみから燃料が供給される。ステップＳ１０３で否定判定がなされた場合、すなわち、ＥＧＲ弁３２が開かれている場合にはステップＳ１０２へ進む。
【００８３】
ステップＳ１０２では、内燃機関１の運転領域が、ノッキングが発生する運転領域であるか否か判定される。ステップＳ１０２で肯定判定がなされた場合にはステップＳ４０４へ進み、否定判定がなされた場合にはステップＳ２０７へ進んで、初期設定のままの吹き分け比率にて燃料の供給が行なわれる。
【００８４】
ステップＳ４０４では、吹き分け比率が算出される。吹き分け比率は、吹き分け比率の基準値にＥＧＲ弁開度補正係数を乗じることにより得る。すなわち、目標ＥＧＲ弁開度が小さくされている分、ノッキングが発生し易いため、筒内噴射弁８２からの燃料供給量の比率を高くする。このように、ＥＧＲ弁３２の開度に応じて吹き分け比率を設定している。なお、ＥＧＲ弁３２の開度は、冷却水温度に応じて決定されているため、冷却水温度に応じて吹き分け比率を設定しても良い。その後ステップＳ４０５へ進んで、ステップＳ４０４で算出される吹き分け比率にて燃料が供給される。
【００８５】
なお、本実施例においては、ステップＳ４０２，４０３，４０４，４０５を処理するＥＣＵ９０が、本発明におけるＥＧＲ供給開始時制御手段に相当する。
【００８６】
このように、冷却水温度に応じて設定されるＥＧＲ弁３２の開度に応じて吹き分け比率を設定することにより、そのときのＥＧＲガス量に応じた吹き分け比率を設定することが可能となるため、ノッキングの発生を抑制できる。
【実施例４】
【００８７】
本実施例では、冷間時に筒内噴射弁８２からの燃料噴射量が多いためにオイルの希釈が顕著となる温度域（例えば、常温以下）において、筒内噴射弁８２からの燃料の供給を停止させ、通路内噴射弁８１のみから燃料を供給する。内燃機関１の温度がこの温度域よりも高い場合には、ＥＧＲガスが供給されていない場合にのみ、筒内噴射弁８２のみから燃料を供給する。
【００８８】
図１１は、内燃機関１の冷却水温度と吹き分け比率との関係を示した図である。常温以下の場合には、吹き分け比率を１とし、通路内噴射弁８１のみから燃料を供給する。常温よりも高い場合であって、ＥＧＲガスが供給されていないとき（ＥＧＲ弁３２の開度が０のとき）には、吹き分け比率を０とし、筒内噴射弁８２のみから燃料を供給する。常温よりも高い場合であって、ＥＧＲガスが供給されているとき（ＥＧＲ弁３２が開かれているとき）には、上記実施例に従って吹き分け比率を設定する。
【００８９】
図１２は、本実施例に係る燃料供給のフローを示したフローチャートである。本ルーチンは所定の時間毎にＥＣＵ９０により実行される。なお、前記フローと同じ処理がなされるステップについては、同じ符号を付して説明を省略する。
【００９０】
ステップＳ５０１では、内燃機関１の温度が、オイル希釈が発生する温度であるか否か判定される。ここでは、内燃機関１の温度が、オイル希釈が許容範囲を超える温度であるか否か判定しても良い。また、ＰＭ・ＰＮが発生する温度であるか否か判定しても良い。これらの温度は、例えば常温（例えば１５℃から２０℃）としても良く、予め実験等により求めておいても良い。
【００９１】
ステップＳ５０１で肯定判定がなされた場合には、ステップＳ５０２へ進んで、通路内噴射弁８１のみから燃料を供給する。ステップＳ５０２で否定判定がなされた場合にはステップＳ１０３へ進み、以降は実施例３と同じ処理がなされる。
【００９２】
このようにして、内燃機関１の温度が常温よりも低い場合には、通路内噴射弁８１のみから燃料を供給することにより、オイルが燃料で希釈されることを抑制したり、ＰＭ・ＰＮの発生を抑制したりすることができる。
【符号の説明】
【００９３】
１     内燃機関
２     気筒
３     吸気ポート
４     吸気管
５     吸気弁
６     吸気側カム
７     排気ポート
８     排気管
９     排気弁
１０   シリンダヘッド
１１   排気側カム
１３   クランクシャフト
１４   コンロッド
１５   ピストン
１６   吸気絞り弁
３０   ＥＧＲ装置
３１   ＥＧＲ通路
３２   ＥＧＲ弁
３３   ＥＧＲクーラ
３４   開度センサ
８１   通路内噴射弁
８２   筒内噴射弁
８３   点火プラグ
９０   ＥＣＵ
９１   アクセル開度センサ
９２   クランクポジションセンサ
９３   エアフローメータ
９４   温度センサ
【図１】
2011140902.tif 000003
【図２】
2011140902.tif 000004
【図３】
2011140902.tif 000005
【図４】
2011140902.tif 000006
【図５】
2011140902.tif 000007
【図６】
2011140902.tif 000008
【図７】
2011140902.tif 000009
【図８】
2011140902.tif 000010
【図９】
2011140902.tif 000011
【図１０】
2011140902.tif 000012
【図１１】
2011140902.tif 000013
【図１２】
2011140902.tif 000014